(57)【特許請求の範囲】
【請求項１】
臭い成分を分解する光触媒を担持した吸着フィルタと、
放物面を有する第１の反射鏡と、
該第１の反射鏡の焦点付近に配され、円形のバルブ断面を有し光を発光する発光管と、
該発光管が円弧中心付近に位置する円弧面を有し、前記発光管が発光する光を第１の反射鏡方向に反射させる第２の反射鏡とを空気流が通過するハウジング内に配置してなり、
発光管方向から来た光を前記第１の反射鏡が吸着フィルタ方向へ反射させることを特徴とする空気清浄装置。
【請求項２】
前記発光管のバルブに反射面を形成して前記第２の反射鏡とした請求項１記載の空気清浄装置。
【請求項３】
臭い成分を分解する光触媒を担持した吸着フィルタと、
放物面を有する第１の反射鏡と、
円形のバルブ断面を有し光を発光する発光管と、
該発光管が第１焦点付近に位置する楕円面を有し、前記発光管が発光する光を前記楕円面で反射させ第２焦点付近を経て第１の反射鏡方向に照射する第２の反射鏡とを空気流が通過するハウジング内に配置してなり、
発光管方向から来た光を前記第１の反射鏡が吸着フィルタ方向へ反射させることを特徴とする空気清浄装置。
【請求項４】
臭い成分を分解する光触媒を担持した吸着フィルタと、
断面がＶ字状の山形形状を呈する第１の反射鏡と、
該第１の反射鏡と前記吸着フィルタとの間に配置され、円形のバルブ断面を有し光を発光する発光管と、
該発光管が円弧中心付近に位置する円弧面を有し、前記発光管が発光する光を第１の反射鏡方向に反射させる第２の反射鏡とを空気流が通過するハウジング内に配置し、
発光管方向から来た光を前記第１の反射鏡が吸着フィルタ方向へ反射させることを特徴とする空気清浄装置。
【請求項５】
臭い成分を分解する光触媒を担持した吸着フィルタと、
放物面を有する第１の反射鏡と、
該第１の反射鏡の焦点付近に配され、円形のバルブ断面を有し光を発光する発光管と、
断面がＶ字状の山形形状を呈し、前記発光管が発光する光を第１の反射鏡方向に反射させる第２の反射鏡とを空気流が通過するハウジング内に配置してなり、
発光管方向から来た光を前記第１の反射鏡が吸着フィルタ方向へ反射させることを特徴とする空気清浄装置。
【請求項６】
発光管方向から来た光を前記第１の反射鏡が吸着フィルタ方向へ反射させる際に影を作る第２の反射鏡部分に、前記光を直接、吸着フィルタ方向へ照射するための窓を形成した請求項１乃至請求項５の何れかに記載の空気清浄装置。
【請求項７】
前記第１の反射鏡を前記ハウジングの内壁で構成した請求項１乃至請求項６の何れかに記載の空気清浄装置。
【発明の詳細な説明】
【０００１】
【発明の属する技術分野】
本発明は、空気清浄装置に関する。
【０００２】
【従来の技術】
臭い成分を分解する光触媒を担持した光触媒フィルタの近傍に発光管を配設する空気清浄装置では、光を効率良く光触媒フィルタに当てるため、通常、図９の（ａ）に示す様に反射板を反光触媒フィルタ側に配置している。
しかし、ｘ軸方向の光強度は、図９の（ｂ）に示す様に、発光管に近い所は強いが、離れるに従って弱くなる傾向にある。
【０００３】
この不具合を解決するため、特開平９- ３２２９３３号公報に記載の光脱臭装置では、光触媒フィルタに沿って複数の発光管を配設している。
【０００４】
【発明が解決しようとする課題】
しかし、発光管の増設により、消費電力が増え、部品代が高くなり、ハウジングの容積が大きくなるという新たな課題が生じる。
そこで、発明者らは、反射板を放物面を有する反射鏡１０１に変更した空気清浄装置（図１０に示す）、および放物面を有する主反射鏡１０２と円弧面を有する副反射鏡１０３とを有する脱臭装置（図１１に示す）を試作した。
しかし、不要方向への光放射により全体の光強度が低下（図１０、図１１共）したり、主反射鏡１０２の熱変形を招くとともに大きな影ができる（図１１）という好ましくない結果が得られた。
【０００５】
本発明の目的は、吸着フィルタへ均一的に光が当たり、臭い成分の分解効率が高い空気清浄装置の提供にある。
【０００６】
【課題を解決するための手段】
〔請求項１について〕
円形のバルブ断面を有し、光を発光する発光管は、第２の反射鏡の中心で、且つ第１の反射鏡の焦点付近に配置されている。
第２の反射鏡は、発光管が中心付近に位置する円弧面を有し、発光管が発光する光を第１の反射鏡方向に反射させる。
第１の反射鏡は、発光管方向から来た光を吸着フィルタ方向へ反射させる。なお、発光管を第１の反射鏡の焦点に配置し、第２の反射鏡の円弧面の中心が発光管の中心に位置する場合には、第１の反射鏡は、発光管方向から来た光を吸着フィルタ方向へ反射させて平行光束にする。
【０００７】
これにより、発光管に近い場所の吸着フィルタは勿論、遠い場所の吸着フィルタにも光が適度な強さで当たる。
つまり、光が吸着フィルタ全面に均一的に当たるので、空気清浄装置は、吸着フィルタによる臭い成分の分解能力に優れる。
また、発光管の出力を上げたり、発光管を複数個、設置する必要がないので電力を多く消費しない。
【０００８】
〔請求項２について〕
発光管のバルブに反射面を形成して第２の反射鏡とすれば、第２の反射鏡を支持する支持手段が不要になるとともに、吸着フィルタ方向へ光を反射させる際に生じる影の面積を極力、小さくすることができる。
【０００９】
〔請求項３について〕
円形のバルブ断面を有し、光を発光する発光管は、第２の反射鏡の第１焦点付近に配置されている。
第２の反射鏡は、発光管が第１焦点付近に位置する楕円面を有し、発光管が発光する光を楕円面で反射させ第２焦点付近を経て第１の反射鏡方向に照射する。
第１の反射鏡は、発光管方向から来た光を吸着フィルタ方向へ反射させる。
【００１０】
なお、発光管が第２の反射鏡の第１焦点に位置する楕円面を有し、第１の反射鏡の焦点と第２の反射鏡の第２焦点とが一致する場合には、下記の様になる。
第２の反射鏡は、発光管が発光する光を楕円面で反射させ第２焦点を経て第１の反射鏡方向に照射する。第１の反射鏡は、発光管方向から来た光を吸着フィルタ方向へ反射させ、平行光束にする。
【００１１】
これにより、発光管に近い場所の吸着フィルタは勿論、遠い場所の吸着フィルタにも光が適度な強さで当たる。
つまり、光が吸着フィルタ全面に均一的に当たるので、空気清浄装置は、吸着フィルタによる臭い成分の分解能力に優れる。
また、発光管の出力を上げたり、発光管を複数個、設置する必要がないので電力を多く消費しない。
【００１２】
〔請求項４について〕
第１の反射鏡と吸着フィルタとの間に配置され、光を発光する発光管は、円形のバルブ断面を有し、第２の反射鏡の中心に配置されている。
第２の反射鏡は、発光管が中心近傍に位置する円弧面を有し、発光管が発光する光を第１の反射鏡方向に反射させる。
断面がＶ字状の山形形状を呈する第１の反射鏡は、発光管方向から来た光を吸着フィルタ方向へ反射させる。
【００１３】
これにより、発光管に近い場所の吸着フィルタは勿論、遠い場所の吸着フィルタにも光が適度な強さで当たる。
つまり、光が吸着フィルタ全面に、均一的に当たるので、空気清浄装置は、吸着フィルタによる臭い成分の分解能力に優れる。
また、発光管の出力を上げたり、発光管を複数個、設置する必要がないので電力を多く消費しない。
更に、第１の反射鏡は、断面がＶ字状の山形形状を呈するので、第１の反射鏡を安価に作ることができる。
【００１４】
〔請求項５について〕
光を発光する発光管は、円形のバルブ断面を有し、第１の反射鏡の焦点付近に配置されている。
第２の反射鏡は、断面がＶ字状の山形形状を呈し、発光管が発光する光を第１の反射鏡方向に反射させる。
第１の反射鏡は、発光管方向から来た光を吸着フィルタ方向へ反射させる。
発光管方向から直接、照射される光は、第１の反射鏡で反射して吸着フィルタ方向へ向かう。なお、発光管が第１の反射鏡の焦点に配される場合には、発光管方向から直接、照射される光は、第１の反射鏡で反射して平行光束になり、吸着フィルタ方向へ向かう。
【００１５】
これにより、発光管に近い場所の吸着フィルタは勿論、遠い場所の吸着フィルタにも光が適度な強さで当たる。
つまり、光が吸着フィルタ全面に、均一的に当たるので、空気清浄装置は、吸着フィルタによる臭い成分の分解能力に優れる。
また、発光管の出力を上げたり、発光管を複数個、設置する必要がないので電力を多く消費しない。
更に、第２の反射鏡は、断面がＶ字状の山形形状を呈するので、第２の反射鏡を安価に作ることができる。
【００１６】
〔請求項６について〕
第２の反射鏡は、発光管方向から来た光を第１の反射鏡が吸着フィルタ方向へ反射させる際に、第２の反射鏡自体により後方に影ができる。
そこで、影を作る原因となる第２の反射鏡部分に窓を形成し、光を直接、吸着フィルタ方向へ照射して影を無くしている。
これにより、第２の反射鏡の前方に影ができず、光が吸着フィルタ全面に、均一的に当たるので、吸着フィルタによる臭い成分の分解能力を、一層、高めることができる。
【００１７】
〔請求項７について〕
空気清浄装置は、第１の反射鏡をハウジングの内壁で構成している。
これにより、部品点数を減らすことができるとともに、ハウジングの容積を小さくすることができる。
【００１８】
【発明の実施の形態】
本発明の第１実施例（請求項１、６に相当）を、図１〜図３に基づいて説明する。
図１に示す如く、空気清浄装置Ａは、ケーシング１の空気通路１１内に、送風機２と、光触媒付吸着フィルタ３と、放物面鏡４と、水銀ランプ５と、内球面鏡６とを配設してなり、車両の天井や後部に設置されている。
【００１９】
ケーシング１は、プラスチック製の中空函であり、空気通路１１が形成されている。空気通路１１は、車室内に開口する空気導入口１２および空気吹出口１３を有する。
【００２０】
空気通路１１の略中央に配置される送風機２は、車載用バッテリから作動用電力の供給を受けて回転するモータ２１と、モータ２１により駆動される翼車２２とからなり、空気通路１１に、空気導入口１２から空気吹出口１３へ向かう空気流を発生させる。
【００２１】
光触媒付吸着フィルタ３は、二枚の濾紙をプリーツ状に貼り合わせたものであり、空気導入口１２近傍の空気通路１１に、通路を塞ぐ様にケーシング１内に配されている。
空気流の当たる側に位置する濾紙は防塵用である。また、光が当たる側に位置する濾紙は、表面に光触媒（酸化チタン）と吸着剤とを担持させたものであり、吸着剤（活性炭やゼオライト）が臭いの成分を吸着する。なお、光触媒は、水銀ランプ５から照射される紫外線により、吸着剤が吸着した臭い成分を分解（再生）する。
【００２２】
放物面鏡４は、鏡面処理が成された放物面が光触媒付吸着フィルタ３方向に向く様に、光触媒付吸着フィルタ３の下流側のケーシング１壁に配置されている。この放物面鏡４は、水銀ランプ５が放射する後半球光束および内球面鏡６で反射した前半球光束を吸着フィルタ方向へ反射させて平行光束にする。
【００２３】
放物面鏡４の焦点に配される水銀ランプ５（５Ｗ、直管形）は、円筒状のバルブ５１（ガラス製）の両端を、フィラメントおよび端子を有する口金で塞ぎ、内部に水銀とアルゴンとを封入してなる。
この水銀ランプ５は、グロースタータ（何れも図示せず）により点灯し、水銀蒸気中放電によって発生する水銀輝線によりバルブ５１から紫外線を発光する。
【００２４】
ケーシング１内に配される内球面鏡６は、水銀ランプ５が円弧中心に位置する円弧面６１を有し、水銀ランプ５が放射する前半球光束を放物面鏡４方向に反射させる。
水銀ランプ５のバルブ５１から放射される紫外線のうち、内球面鏡６および放物面鏡４の深凹部へ向かう紫外線は、水銀ランプ５や内球面鏡６によって遮られる。
このため、本実施例では、影を作る内球面鏡６の深凹部近傍にスリット６２を間欠的に形成している。なお、機械的強度を保つため、スリット６２間に連結部を設けている。
【００２５】
本実施例の空気清浄装置Ａは、以下の様に作動する。
空気清浄装置Ａの作動スイッチ（図示せず）をオンにすると、送風機２が作動状態になり、空気導入口１２から空気吹出口１３へ向かう空気流が空気通路１１内に発生する。これにより、車室内の空気が空気導入口１２からケーシング１内に吸い込まれる。
【００２６】
水銀蒸気中放電によって水銀ランプ５のバルブ５１から紫外線が放射される。放射される紫外線のうち、後半球光束は放物面鏡４方向に放射され、前半球光束は内球面鏡６で反射して放物面鏡４方向に放射される。
【００２７】
水銀ランプ５が、内球面鏡６の中心に配され、且つ、放物面鏡４の焦点に配されているので、放物面鏡４方向に放射された光束は、放物面鏡４で反射して平行光束となって光触媒付吸着フィルタ３へ向かう。
また、内球面鏡６の深凹部へ放射される光束は、スリット６２から出て、直接、光触媒付吸着フィルタ３へ向かう。
【００２８】
光触媒付吸着フィルタ３を導入した室内空気が通過する際に、濾紙に担持させた吸着剤に臭い成分が吸着し、清浄化された空気は空気吹出口１３から車室内へ吹き出る。なお、光触媒は、紫外線により、吸着剤が吸着した臭い成分を分解（再生）する。
【００２９】
本実施例の空気清浄装置Ａは、以下の利点を有する。
空気清浄装置Ａは、内球面鏡６の中心で、且つ放物面鏡４の焦点に水銀ランプ５を配置して、放物面鏡４が光触媒付吸着フィルタ３方向へ紫外線を反射させて平行光束にする構成である。
更に、影を作る内球面鏡６の深凹部近傍にスリット６２を間欠的に形成し、スリット６２間に連結部を設けている。
【００３０】
これにより、水銀ランプ５に近い場所の光触媒付吸着フィルタ３は勿論、遠い場所の光触媒付吸着フィルタ３にも紫外線が適度な強さで当たる。また、内球面鏡６の前方に影ができない。なお、スリット６２を間欠的に形成しているので内球面鏡６の機械的強度は維持できる。
つまり、紫外線が光触媒付吸着フィルタ３全面に均一的に当たるので、空気清浄装置Ａは、臭い成分の分解能力に優れる。
また、紫外線が光触媒付吸着フィルタ３全面に均一的に当たる｛図３（ｂ）のｘ軸方向距離ー 紫外線強度グラフ参照｝ので、水銀ランプ５の出力を上げたり、水銀ランプ５を複数個、設置する必要がないので、空気清浄装置Ａは、電力を多く消費しない。
【００３１】
つぎに、本発明の第２実施例（請求項１、６に相当）を図４に基づいて説明する。
本実施例の空気清浄装置は、下記の点が空気清浄装置Ａと異なる。
内球面鏡６を設けず、水銀ランプ５のバルブ５１の前半球（光触媒付吸着フィルタ３側）の外面に反射物６３を形成して、水銀ランプ５が放射する前半球光束を放物面鏡４方向に反射させている。
【００３２】
水銀ランプ５のバルブ５１から放射される紫外線のうち、光触媒付吸着フィルタ３の中央および放物面鏡４の深凹部へ向かう紫外線は、水銀ランプ５や反射物６３によって遮られる。このため、反射物６３の中央にスリット６３１を形成している。
【００３３】
本実施例の空気清浄装置は、以下の利点を有する。
空気清浄装置は、放物面鏡４の焦点に水銀ランプ５を配置し、バルブ５１の前半球の外面に反射物６３を形成して、放物面鏡４が光触媒付吸着フィルタ３方向へ紫外線を反射させて平行光束にする構成である。更に、反射物６３の中央にスリット６３１を形成している。
【００３４】
これにより、水銀ランプ５に近い場所の光触媒付吸着フィルタ３は勿論、遠い場所の光触媒付吸着フィルタ３にも紫外線が適度な強さで当たる。また、バルブ５１の前方に影ができないとともに、第１実施例のものより盛り上がり部３１の大きさを小さくすることができる。
また、内球面鏡６を使用していないので、内球面鏡６の位置決めを行う必要がなく、内球面鏡６を固定する固定具が不要である。
【００３５】
反射物６３にスリット６３１を連続して形成できるので死角ができず、紫外線が光触媒付吸着フィルタ３全面に均一的に当たる｛図４（ｂ）のｘ軸方向距離ー 紫外線強度グラフ参照｝。このため、水銀ランプ５の出力を上げたり、水銀ランプ５を複数個、設置する必要がないので、空気清浄装置は、電力を多く消費しない。
【００３６】
つぎに、本発明の第３実施例（請求項１、７に相当）を図５に基づいて説明する。
本実施例の空気清浄装置は、下記の点が空気清浄装置Ａと異なる。
放物面鏡４は、空気清浄装置Ａの放物面鏡４の半分であり、ハウジングの内壁で形成している。そして、焦点に水銀ランプ５を配置している。
内球面鏡６は、深凹部とランプ中心とを結ぶ面とフィルタ面とが平行となる位置（図示、水銀ランプ５の右側）に配置されている。この内球面鏡６は、水銀ランプ５が円弧中心に位置する円弧面６１を有し、水銀ランプ５が放射する半球光を放物面鏡４方向に反射させている。
【００３７】
本実施例の空気清浄装置は、以下の利点を有する。
空気清浄装置は、水銀ランプ５方向から放物面鏡４に放射される紫外線を放物面鏡４が平行光線にして光触媒付吸着フィルタ３方向に反射させる構成である。なお、水銀ランプ５から放射される紫外線のうち、一部は直接、光触媒付吸着フィルタ３に照射される。
【００３８】
このため、図５（ｂ）のグラフに示す様に、水銀ランプ５に近い場所の光触媒付吸着フィルタ３は勿論、遠い場所の光触媒付吸着フィルタ３にも紫外線が適度な強さで当たる。また、内球面鏡６によって影ができない。
【００３９】
つまり、紫外線が光触媒付吸着フィルタ３全面に均一的に当たるので、空気清浄装置は、臭い成分の分解能力に優れる。
また、紫外線が光触媒付吸着フィルタ３全面に均一的に当たる｛図５（ｂ）のｘ軸方向距離ー 紫外線強度グラフ参照｝ので、水銀ランプ５の出力を上げたり、水銀ランプ５を複数個、設置する必要がないので、空気清浄装置は、電力を多く消費しない。
【００４０】
つぎに、本発明の第４実施例（請求項３に相当）を図６に基づいて説明する。
本実施例の空気清浄装置は、下記の点が空気清浄装置Ａと異なる。
放物面鏡４は、空気清浄装置Ａのものよりやや小さく、鏡端がカットされている。
この放物面鏡４は、焦点に配される水銀ランプ５が放射する紫外線、および楕円内面鏡７で反射した紫外線を吸着フィルタ方向へ反射させて平行光束にする。楕円内面鏡７は、第１焦点７１に配される水銀ランプ５が放射する紫外線を楕円内面で反射させ第２焦点７２を介して放物面鏡４に当てる。
【００４１】
水銀ランプ５のバルブ５１から放射される紫外線のうち、楕円内面鏡７および放物面鏡４の深凹部へ向かう紫外線は、水銀ランプ５や楕円内面鏡７によって遮られる。
このため、本実施例では、影を作る楕円内面鏡７の深凹部近傍にスリット７３を間欠的に形成している。なお、機械的強度を保つため、スリット７３間に連結部を設けている。
【００４２】
本実施例の空気清浄装置は、以下の利点を有する。
空気清浄装置は、水銀ランプ５方向から放物面鏡４に放射される紫外線を放物面鏡４が平行光束にして光触媒付吸着フィルタ３方向に反射させる構成である。なお、水銀ランプ５から放射される紫外線のうち、一部はスリット７３を通して、直接、光触媒付吸着フィルタ３に照射される。
【００４３】
このため、図６（ｂ）のグラフに示す様に、水銀ランプ５に近い場所の光触媒付吸着フィルタ３は勿論、遠い場所の光触媒付吸着フィルタ３にも紫外線が適度な強さで当たる。また、楕円内面鏡７によって影ができない。
【００４４】
つまり、紫外線強度がややドーム状になるものの、紫外線が光触媒付吸着フィルタ３全面に均一的に当たる｛図６（ｂ）のｘ軸方向距離ー 紫外線強度グラフ参照｝ので、空気清浄装置は、臭い成分の分解能力に優れる。
また、水銀ランプ５の出力を上げたり、水銀ランプ５を複数個、設置する必要がないので、空気清浄装置は、電力を多く消費しない。
【００４５】
つぎに、本発明の第５実施例（請求項５に相当）を図７に基づいて説明する。
本実施例の空気清浄装置は、下記の点が空気清浄装置Ａと異なる。
反射板８は、断面がＶ字状の山形形状を呈し、水銀ランプ５が発光する光を放物面鏡４方向に反射させる。
この反射板８は、水銀ランプ５と光触媒付吸着フィルタ３との間に配設されている。
【００４６】
本実施例の空気清浄装置は、以下の利点を有する。
空気清浄装置は、水銀ランプ５方向から来た紫外線を放物面鏡４が光触媒付吸着フィルタ３方向に反射させる構成である。なお、水銀ランプ５から直接、放物面鏡４に到達する紫外線は、放物面鏡４で反射して平行光束になり、光触媒付吸着フィルタ３方向に向かう。
【００４７】
このため、水銀ランプ５に近い場所の光触媒付吸着フィルタ３は勿論、遠い場所の光触媒付吸着フィルタ３にも紫外線が適度な強さで当たる。
つまり、紫外線が光触媒付吸着フィルタ３全面に均一的に当たるので、空気清浄装置は、臭い成分の分解能力に優れる。
また、反射板８の背後に影ができるが、紫外線が光触媒付吸着フィルタ３全面に、おおよそ均一に当たるので、水銀ランプ５の出力を上げたり、水銀ランプ５を複数個、設置する必要がないので、空気清浄装置は、電力を多く消費しない。
反射板８が簡単な構造であるので、製造コストを低減することができる。
【００４８】
つぎに、本発明の第６実施例（請求項４、６に相当）を図８に基づいて説明する。
本実施例の空気清浄装置は、下記の点が空気清浄装置Ａと異なる。
第１の反射鏡を、断面がＶ字状の山形形状の反射鏡９にしている。
反射鏡９は、鏡面処理が成された反射面が光触媒付吸着フィルタ３方向に向く様に、光触媒付吸着フィルタ３の下流側のケーシング１壁に配置されている。
この反射鏡９は、水銀ランプ５側からの紫外線を光触媒付吸着フィルタ３方向へ反射させる。
【００４９】
空気清浄装置は、内球面鏡６の中心に水銀ランプ５を配置し、反射鏡９が光触媒付吸着フィルタ３方向へ紫外線を反射させる構成である。
更に、影を作る内球面鏡６の深凹部近傍にスリット６２を間欠的に形成し、スリット６２間に連結部を設けている。
【００５０】
これにより、紫外線強度の分布は波打つものの、水銀ランプ５に近い場所の光触媒付吸着フィルタ３は勿論、遠い場所の光触媒付吸着フィルタ３にも紫外線が適度な強さで当たる。また、内球面鏡６の前方に影ができない。なお、スリット６２を間欠的に形成しているので内球面鏡６の機械的強度は維持できる。
つまり、紫外線が光触媒付吸着フィルタ３に、全面におおよそ均一に紫外線が当たるので、空気清浄装置は、臭い成分の分解能力に優れる。
また、紫外線が光触媒付吸着フィルタ３の全面におおよそ均一に当たる｛図８（ｂ）のｘ軸方向距離ー 紫外線強度グラフ参照｝ので、水銀ランプ５の出力を上げたり、水銀ランプ５を複数個、設置する必要がないので、空気清浄装置は、電力を多く消費しない。
【００５１】
本発明は、上記実施例以外に、次の実施態様を含む。
ａ．スリット６２にプラスチックやガラス等の透光体を配設すれば、スリット６２を連続して形成することができ、影になる部分を完全になくすことができる。また、透光体をレンズにして平行光束にすれば、光触媒付吸着フィルタ３の全面に略完全に均一に紫外線を当てることができる。
【００５２】
ｂ．発光管は、吸着フィルタの光触媒を再生できれば、紫外線以外に可視光を発光するものでも良い。
ｃ．光触媒付吸着フィルタ３は、その他、ハニカムフィルタや、粒状のものを使用しても良い。
ｄ．空気清浄装置は、一般家庭の部屋、トイレ、オフィス、工場、バスや電車や船等の乗物に配設しても良い。
【図面の簡単な説明】
【図１】本発明の第１実施例に係る空気清浄装置の説明図である。
【図２】その空気清浄装置の要部を拡大した斜視図である。
【図３】本発明の第１実施例に係る空気清浄装置の要部断面図（ａ）、およびｘ軸方向距離ー 紫外線強度グラフである（ｂ）。
【図４】本発明の第２実施例に係る空気清浄装置の要部断面図（ａ）、およびｘ軸方向距離ー 紫外線強度グラフである（ｂ）。
【図５】本発明の第３実施例に係る空気清浄装置の要部断面図（ａ）、およびｘ軸方向距離ー 紫外線強度グラフである（ｂ）。
【図６】本発明の第４実施例に係る空気清浄装置の要部断面図（ａ）、およびｘ軸方向距離ー 紫外線強度グラフである（ｂ）。
【図７】本発明の第５実施例に係る空気清浄装置の要部断面図（ａ）、およびｘ軸方向距離ー 紫外線強度グラフである（ｂ）。
【図８】本発明の第６実施例に係る空気清浄装置の要部断面図（ａ）、およびｘ軸方向距離ー 紫外線強度グラフである（ｂ）。
【図９】従来の空気清浄装置の要部を示す斜視図（ａ）、およびｘ軸方向距離ー 紫外線強度グラフである（ｂ）。
【図１０】反射板を放物面を有する反射鏡に変更した試作品の空気清浄装置の要部断面図（ａ）、およびｘ軸方向距離ー 紫外線強度グラフである（ｂ）。
【図１１】放物面を有する主反射鏡と円弧面を有する副反射鏡とを有する脱臭装置の要部断面図（ａ）、およびｘ軸方向距離ー 紫外線強度グラフである（ｂ）。
【符号の説明】
Ａ  空気清浄装置
１  ケーシング（ハウジング）
３  光触媒付吸着フィルタ
４  放物面鏡（第１の反射鏡）
５  水銀ランプ（発光管）
６  内球面鏡（第２の反射鏡）
７  楕円内面鏡（第２の反射鏡）
９  反射鏡（第１の反射鏡）
６１  円弧面
６２  スリット
７１  第１焦点
７２  第２焦点
６３１  スリット（窓）
【図１】
0004103262.tif 000002
【図２】
0004103262.tif 000003
【図３】
0004103262.tif 000004
【図４】
0004103262.tif 000005
【図５】
0004103262.tif 000006
【図６】
0004103262.tif 000007
【図７】
0004103262.tif 000008
【図８】
0004103262.tif 000009
【図９】
0004103262.tif 000010
【図１０】
0004103262.tif 000011
【図１１】
0004103262.tif 000012